(57)【特許請求の範囲】
【請求項１】
少なくともソファ、ビーチソファ、及びビーチベッドとして使用可能な多機能クッションであって、
ソファ、ベッドその他の機能が選択して得られるように各部が折り曲げ自在になっているクッション本体と、
前記クッション本体の各部の折り曲げ角度及び互いの位置関係を当該機能に対応して保持するための保持部とを備え、
前記保持部は、折り曲げられる前記クッション本体の各部の間を繋ぐ帯状又は紐状の長尺部と、当該繋ぎを切り離し可能にするための係止部とを有しており、
前記クッション本体は、座面部、背もたれ部、サンシェード部が長さ方向に連設された３つ折れ可能な平坦状部材であって、ソファとしての使用時は、前記背もたれ部を前記座面部に対して立てると共に前記サンシェード部を後方に折り返し、ビーチソファとしての使用時は、前記背もたれ部を前記座面部に対して立てると共に前記サンシェード部を前方に折り曲げ前記座面部に対して略平行になるようにし、ビーチベッドとしての使用時は、前記座面部及び背もたれ部を直線状にすると共に前記サンシェード部を前方に折り曲げ前記座面部等に対して斜めにすることが可能な構成になっている多機能クッション。
【請求項２】
請求項1記載の多機能クッションにおいて、前記クッション本体は、エアマットが使用
されていることを特徴とする多機能クッション。
【請求項３】
請求項1又は２記載の多機能クッションにおいて、前記保持部は、前記長尺部の長さ調
整が可能になっていることを特徴とする多機能クッション。
【請求項４】
請求項１〜３の何れかに記載の多機能クッションにおいて、ソファ又はビーチソファ使用時に前記背もたれ部の後方に置いて使用される付属補強部品であり、前記背もたれ部が後方に倒れる力の一部を支える支持まくらを更に備えることを特徴とする多機能クッション。
【発明の詳細な説明】
【技術分野】
【０００１】
本発明はアウトドア用ソファ、ベッド等として利用可能な多機能クッションに関する。
【背景技術】
【０００２】
複数のマットレスブロックが組み立て可能な構造であって、昼間はソファとして使用し、夜間はベッドとして使用することが可能な多機能マットレスについては周知である（例えば特許文献１参照）。また、複数のエアマット同士を連結可能になった構造のテントについても周知である（例えば特許文献２の図１等参照）。
【先行技術文献】
【特許文献】
【０００３】
【特許文献１】特開２００８−２１２５６０号公報
【特許文献２】特開２００１−８２００４号公報
【発明の開示】
【発明が解決しようとする課題】
【０００４】
しかしながら、エアマットについては、空気を抜けば小さく折り畳むことが容易である反面、エアマット同士の連結構造の部品等がネックとなりコスト高になる。要するに、特許文献１及び特許文献２に開示された各技術とを単に組み合わせただけでは、エアマットを部分的に折り畳むことによりソファやベッドにすることは容易になし得るとはいえ、エアマット同士の連結構造の点でコスト上の問題を避けることは困難である。
【０００５】
本発明は上記した背景の下で想作されたものであって、その目的とするところは、全体を小さく折り畳むことが可能でありながらコスト上の問題がない多機能クッションを提供することにある。
【課題を解決するための手段】
【０００６】
本発明に係る多機能クッションは、ソファ、ベッドその他の機能が選択して得られるように各部が折り曲げ自在になっているクッション本体と、前記クッション本体の各部の折り曲げ角度及び互いの位置関係を当該機能に対応して保持するための保持部とを備え、前記保持部は、折り曲げられる前記クッション本体の各部の間を繋ぐ帯状又は紐状の長尺部と、当該繋ぎを切り離し可能にするための係止部とを有している。
【０００７】
なお、ここでいう機能とは、クッション本体の各部を折り曲げる等してその全体の形状を変更することにより得られる所定の機能をいい、例としてはソファ、ベッド以外に椅子、シュラフ、ハンモック、テント、又は簡易浴槽等がある。これらの全て又はその一部の機能が任意に選択可能である。具体的にいかなる機能が得られるかについては、基本的に、クッション本体の折り曲げ部位、保持部の位置、その長さ等により決定される。
少なくともソファ、ビーチソファ、ビーチベッドの３機能が選択可能なものについては、クッション本体につき下記の構成にすると良い。即ち、クッション本体は、座面部、背もたれ部、サンシェード部が長さ方向に連設された３つ折れ可能な平坦状部材であって、ソファとしての使用時は、前記背もたれ部を前記座面部に対して立てると共に前記サンシェード部を後方に折り返し、ビーチソファとしての使用時は、前記背もたれ部を前記座面部に対して立てると共に前記サンシェード部を前方に折り曲げ前記座面部に対して略平行になるようにし、ビーチベッドとしての使用時は、前記座面部及び背もたれ部を直線状にすると共に前記サンシェード部を前方に折り曲げ前記座面部等に対して斜めにすることが可能な構成になっている。
【０００８】
このような構成の多機能クッションによる場合、クッション本体の各部が折り曲げ自在になっており、その各部の折り曲げ角度等が所定の機能に対応して保持部により保持される構成になっている。折り曲げられるクッション本体の各部の間は保持部の長尺部により繋がれて、その折り曲げ角度が保持される一方、保持部の係止部により、その繋ぎが切り離されると、その折り曲げ角度がフリーとなる。そのため、小さく折り畳むことが可能になる。保持部が長尺状のシンプルな構造になっていることから、クッション本体の部分同士の連結構造に関するコスト上の問題が解消されるに至った。それ故、持ち運びが便利であるだけでなく容易に低価格にすることが可能というメリットが得られる。
しかも、ソファ、ビーチソファ、ビーチベッドの各機能が選択して得られる構成になっていることから、特にアウトドア向け商品として使い勝手が良好になる。
【０００９】
好ましくは、前記クッション本体については、エアマットを用いると良い。エアを抜けば全体を簡単に小さく折り畳むことができ、持ち運びが便利になるからである。
【００１０】
好ましくは、前記保持部については、長尺部の長さ調整が可能なものを用いると良い。長尺部の長さを変えると、これに応じてクッション本体の各部の折り曲げ角度等が調整され、この点で使い勝手が良好になるからである。
【００１３】
この形態の場合、ソファ／ビーチソファ使用時に前記背もたれ部の後方に置いて使用される付属補強部品であり、前記背もたれ部が後方に倒れる力の一部を支える支持まくらを更に備えた構成にすると良い。
【００１４】
このような構成の多機能クッションによる場合、ソファ／ビーチソファ使用時に付属補強部品としての支持まくらを用いると、背もたれ部が後方に倒れ難くなることから、この点で使い勝手が更に良好になる。
【図面の簡単な説明】
【００１５】
【図１】本発明の多機能クッションの実施形態を説明するための図であって、ソファとしての使用時の状態を示す多機能クッションの前側斜視図である。
【図２】ソファとしての使用時の他の状態を示す同多機能クッションの後側斜視図である。
【図３】ビーチソファとしての使用時の状態を示す同多機能クッションの前側斜視図である。
【図４】ビーチソファとしての使用時の状態を示す同多機能クッションの後側視斜視図である。
【図５】ビーチベッドとしての使用時の状態を示す同多機能クッションの前側斜視図である。
【図６】同多機能クッションの付属補強部品である支持まくらの斜視図である。
【発明を実施するための形態】
【００１６】
以下、本発明の多機能クッションの実施形態を図１乃至図６を参照して説明する。ここに例として挙げる多機能クッションは、ソファ（図１及び図２参照）、ビーチソファ（図３及び図４参照）、ビーチベッド（図５参照）の３機能が任意に選択可能であって、上記３機能が選択して得られるように各部（ここでは座面部１１，背もたれ部１２及びサンシェード部１３）が折り曲げ自在になっているクッション本体１０と、クッション本体１０の各部の折り曲げ角度及び互いの位置関係を当該機能に対応して保持するための保持部２０ａ，２０ｂとを備えている。また、更に、ソファ又はビーチソファ使用時に使用される付属補強部品として、支持まくら３０（図６参照）を有している。
【００１７】
クッション本体１０については、本案例では、表裏面に５列のエアセルが長さ方向に延びて形成された樹脂製のエアマットを使用しており、座面部１１、背もたれ部１２及びサンシェード部１３が長さ方向に連設された３つ折れ可能な平坦状部材となっている。なお、図中１１１、１２１、１３１については、座面部１１，背もたれ部１２、サンシェード部１３の各面に形成されたエアー抜き詮である。この部分を除いて、クッション本体１０の表面と裏面の形状については同一である。
【００１８】
クッション本体１０の座面部１１，背もたれ部１２及びサンシェード部１３の部位にエアーが別々に注入されると、各部位が別々に膨み、その結果、何れも平坦状をなした座面部１１，背もたれ部１２及びサンシェード部１３となる。これらの各間には上記エアーが入り込まない薄肉部分になっていることから、これらの部分に沿って背もたれ部１２が座面部１１に対して、サンシェード部１３が背もたれ部１２に対して各々折り曲げ可能になっている。図１乃至図５については座面部１１に対して背もたれ部１２及びサンシェード部１３が折り曲げられた状態が示されている。
【００１９】
クッション本体１０は、ソファとしての使用時は、図１及び図２に示されているように、背もたれ部１２を座面部１１に対して立てると共にサンシェード部１３を後方に折り返し、ビーチソファとしての使用時は、図３及び図４に示されているように、背もたれ部１２を座面部１１に対して立てると共にサンシェード部1３を前方に折り曲げ座面部１１に対して略平行になるようにし、ビーチベッドとしての使用時は、図５に示されているように、座面部１１及び背もたれ部１２を直線状にすると共にサンシェード部1３を前方に折り曲げ座面部１１1及び背もたれ部１２に対して斜め前方にすることが可能な構成になっている。
【００２０】
保持部２０ａについては、本案例では周知である長さ調整可能なバックル付きバンドを使用しており、クッション本体１０の座面部１１及び背もたれ部１２の折り曲げ角度及び互いの位置関係を上記機能に対応して保持するようになっている。このような保持部２０ａがクッション本体１０の両サイドに各々設けられている。保持部２０ａは、折り曲げられるクッション本体１０の背もたれ部１２と座面部１１との間を繋ぐ帯状のバンドである長尺部２１ａと、当該繋ぎを切り離し可能にするために長尺部２１ａの途中（具体的には長尺部２１ａの基端側と同先端側との間に相当）に設けられたバックルである係止部２１ａとを有した構成になっている。係止部２１ａについては、長尺部２１ａの基端側先端部位に位置調整可能に設けられたソケットと、長尺部２１ａの先端側に固着されたプラグとを有しており、同プラグがソケットに着脱可能になった構造になっている。同ソケットにより長尺部２１ａの長さ調整（具体的には長尺部２１ａの基端側の長さに相当）が可能になっている。
【００２１】
保持部２０ｂについては保持部２０ａと同様の構成であって、クッション本体１０の座面部１１及びサンシェード部1３の折り曲げ角度及び互いの位置関係を当該機能に対応して保持するようになっている。このような保持部２０ｂがクッション本体１０の両サイドに各々設けられている。保持部２０ｂは、具体的には、間接的に折り曲げられるクッション本体１０のサンシェード部1３と座面部１１との間を繋ぐ帯状のバンドである長尺部２１ｂと、当該繋ぎを切り離し可能にするために長尺部２１ｂの途中に設けられたバックルである係止部２１ｂとを有した構成になっている。なお、係止部２１ｂについても上記した係止部２１ａと同一構成になっている。
【００２２】
支持まくら３０については、本案例ではクッション本体１０と同様な構造の三角柱状のエアマットを使用しており、図６に示されているようにまくら本体３１と、まくら本体３１の裏面の両側に設けられたバックル付きバンド３２,３２(図６ではその一部のみが図示されている。)とを有している。まくら本体３１にエアーが注入されると、これが三角柱状の膨み、その結果、支持まくら３０となる。なお、図中３３については、まくら本体３１の長さ方向の一端面に形成されたエアー抜き詮である。
【００２３】
支持まくら３０は、ソファ使用時（図１及び図２参照）、ビーチソファ使用時（図３及び図４参照）に、まくら本体３１がクッション本体１０の背もたれ部１２の後方に置かれ、バックル付きバンド３２,３２の先端側を背もたれ部１２の前方に掛け回してバックルを用いて互いに連結される。その結果、支持まくら３０がクッション本体１０の背もたれ部１２に固定される。この状態で、支持まくら３０は、使用時にクッション本体１０の背もたれ部１２が後方に倒れる力の一部を支えるようになっている。
【００２４】
上記のように構成された多機能クッションの使用方法について説明する。まず、クッション本体１０及び支持まくら３０にエアーがエアーポンプ（図示せず）を用いて別々に入れる。この状態では、エアマット本体１０の座面部１１，背もたれ部１２及びサンシェード部１３が直線状になり、ビーチ等の地面上に置いて使用する。具体的には以下の通りである。
【００２５】
ソファとしての使用時は、クッション本体１０の背もたれ部１２を座面部１１に対して立てると共にサンシェード部１３を後方に折り返す。この状態で保持部２０ａ,２０ａを用いて、クッション本体１０の背もたれ部１２と座面部１１との間を繋ぎ、これらの折り曲げ角度及び互いの位置関係を保持する。本案例では、保持部２０ｂ,２０ｂを用いて、クッション本体１０の背もたれ部１２とサンシェード部１３との間を繋ぎ、これらの折り曲げ角度及び互いの位置関係を保持している。これに前後して、支持まくら３０をクッション本体１０の背もたれ部１２の後方に置いて固定する。図１及び図２はこの状態を示している。
【００２６】
なお、保持部２０ａ,２０ｂの長尺部２１ａ,２１ｂを各々長さ調整すれば、クッション本体１０の各部の折り曲げ角度が微調整される。これは、ビーチソファ使用時等についても同様である。
【００２７】
クッション本体１０の背もたれ部１２の座面部１１に対する折り曲げ角度については、背もたれ部１２を折り曲げた際に元に戻ろうとする復元力と保持部２０ａ,２０ａの長尺部２１ａ，２１ａに作用する張力とが釣り合った点で定まる。また、クッション本体１０のサンシェード部１３の座面部１１に対する折り曲げ角度については、サンシェード部１３を折り曲げた際に元に戻ろうとする復元力と保持部２０ｂ,２０ｂの長尺部２１ｂ，２１ｂに作用する張力とが釣り合った点で定まる。この結果、クッション本体１０の外形状がソファになる。このような状態は、使用者が座面部１１に座り、背もたれ部１２に背もたれときにも維持される。特に、サンシェード部１３の先端面が地面に接している点、使用時に背もたれ部１２が後方に倒れる力が支持まくら３０で支持され補強されている点で、この状態が強固に維持され、ソファとして機能する。
【００２８】
ビーチソファとしての使用時は、クッション本体１０の背もたれ部１２を座面部１１に対して立てると共にサンシェード部１３を前方に折り曲げ座面部１１に対して略平行になるようにする。この状態で保持部２０ａ,２０ａを用いて、クッション本体１０の座面部１１及び背もたれ部１２の折り曲げ角度及び互いの位置関係を保持する一方、保持部２０ｂ,２０ｂを用いて、クッション本体１０の背もたれ部１２及びサンシェード部１３の折り曲げ角度及び互いの位置関係を保持する。これに前後して、支持まくら３０をクッション本体１０の背もたれ部１２の後方に置いて固定する。図３及び図４はこの状態を示している。この状態で、保持部２０ａ,２０ａの長尺部２１ａ,２１ａを長さ調整すれば、クッション本体１０の背もたれ部１２及びサンシェード部１３の折り曲げ角度が微調整される。
【００２９】
クッション本体１０の背もたれ部１２の座面部１１に対する折り曲げ角度については、ソファ使用時と同様に定まる。また、クッション本体１０のサンシェード部１３の背もたれ部１２に対する折り曲げ角度については、サンシェード部１３を折り曲げた際に元に戻ろうとする復元力と保持部２０ｂ,２０ｂの長尺部２１ｂ，２１ｂに作用する張力とが釣り合った点で定まる。この結果、クッション本体１０の外形状がビーチソファになる。ソファとしては上記ソファ使用時と同様であるが、サンシェード部１３により外光が遮られることから、ビーチソファとして機能する。
【００３０】
ビーチベッドとしての使用時は、クッション本体１０の座面部１１及び背もたれ部１２を直線状にすると共にサンシェード部１３を前方に折り曲げ座面部１１及び背もたれ部１２に対して斜めになるようにする。この状態で保持部２０ｂ,２０ｂを用いて、クッション本体１０のサンシェード部１３及び背もたれ部１２等の折り曲げ角度及び互いの位置関係を保持する。図５はこの状態を示している。
【００３１】
クッション本体１０のサンシェード部１３の背もたれ部１２に対する折り曲げ角度については、ビーチソファ使用時と同様に定まる。この結果、クッション本体１０の外形状がビーチベッドになる。使用者がクッション本体１０の座面部１１及び背もたれ部１２に寝た状態で、サンシェード部１３により外光が遮られることから、ビーチベッドとして機能する。
【００３２】
上記したようなソファ／ビーチソファ／ビーチベッドとしての使用を止めるときには、保持部２０ｂ,２０ｂを用いて、クッション本体１０の各部の間の繋ぎを切り離すようにする。すると、クッション本体１０の各部をフリーに折り曲げることが可能になる。この状態でクッション本体１０のエアー抜き詮１１１、１２１、１３１を開けることにより、クッション本体１０内のエアーを抜き、その全体を小さく折り畳むことが可能になる。保持部２０ａ、２０ｂについてはバックル付きバンドが用いられており、長尺部２１ａ,２１ａ自体が柔らかいことから、これも含めて全体を小さく折り畳むことが可能になる。支持まくら３０についても同様である。
【００３３】
上記実施形態の多機能クッションによる場合、ソファ／ビーチソファ／ビーチベッドとしての機能を選択して得ることができ、この点で使い勝手が良いだけでなく、上記した通りその全体を容易に小さく折り畳むことが可能である。よって、持ち運びに便利であり、アウトドア用に適すると言える。しかもクッション本体１０の保持部２０ａ，２０ｂが長尺状のシンプルな構造になっていることから、部品代等を含めてコスト面で大きなメリットがある。それ故、非常に便利でありながら低価格のアウトドア商品を提供することが可能になる。
【００３４】
なお、本発明に係る多機能クッションは、上記実施形態に限定されず、防災／災害グッズを含めてインドア用にも当然に適用可能である。また、所定の機能の数（但し２以上の数）及びその種類等が問われることはない。クッション本体については、所定の機能が得られるように、その全部又は一部が折り曲げ自在な構成である限り、その材質、折り曲げ部位等につき当該機能に応じて最適なものを採用すると良い。例えば、エアマットの代わりに低反発性素材等を用いてもかまわない。保持部については、折り曲げられる前記クッション本体の各部の間を繋ぐための帯状又は紐状の長尺部と、当該繋ぎを切り離し可能にするための係止部とを有した構成である限り、どのようなものを用いても良い。例えば、折り曲げられるクッション本体の各部に長尺部としての紐を各々固着し、これらの先端部に係止部としての金具を各々固着して、これらの金具同士を係合可能な形態にしたり、クッション本体の一部に固着された紐の先端部に金具の一方を固着するとともに、これをクッション本体の他部に固着された金具の他方に係止する形態でもかまわない。また、長尺部につき長さ調整機能を有しない形態でも良い。支持まくらについては、上記機能によっては省略しても良い。
【符号の説明】
【００３５】
１０  クッション本体
１１  座面部
１２  背もたれ部
１３  サンシェード部
２０ａ，２０ｂ  保持部
２１ａ，２１ｂ  長尺部
２２ａ，２２ｂ  係止部
３０  支持まくら
【図１】
0006539544.tif 000002
【図２】
0006539544.tif 000003
【図３】
0006539544.tif 000004
【図４】
0006539544.tif 000005
【図５】
0006539544.tif 000006
【図６】
0006539544.tif 000007